(57)【要約】【課題】  様々な形状ないし素材の瓦、あるいは一般の瓦を用いながら、瓦と野地板の間における通気を通気量の多い状態で確保できる、施工が簡単で優れた性能を屋根に与える瓦施工方法、ないしは屋根構造を提供する。【解決手段】  軒瓦５２や瓦５３が、下部から上部にわたり野地板から離れた部分を有する状態で固定されており、軒５５における軒瓦５２と野地板５８との間に、軒５５側の面１２から棟５６側の面１４への貫通孔を隣接状態で複数有する通気鼻桟１０を渡し、また軒５５側の面２６から棟５６側の面２７への貫通孔を隣接状態で複数有する通気面戸２０を渡すとともに、棟５６における冠瓦５４と瓦５３との間に、軒５５側の面３８から棟５６側の面３９への貫通孔を隣接状態で複数有する通気部材３３を備えた通気棟部材３０を渡している。【選択図】  図５
2005188254.tif 000002
【特許請求の範囲】
【請求項１】
野地板の軒側上面に、軒側の面から棟側の面への貫通孔を隣接状態で複数有する通気軒部材を渡し、
軒の瓦を、下部下側に通気軒部材を有する状態で固定し、
軒の瓦から棟の瓦までを、軒から棟にわたり野地板から離れた空間部分を有する状態で固定し、
棟の瓦の上面に、軒側の面から棟側の面への貫通孔を隣接状態で複数有する通気棟部材を渡し、
通気棟部材の上側に、冠瓦を載せる
ことを特徴とする瓦施工方法。
【請求項２】
瓦を、軒側の面から棟側の面への貫通孔を隣接状態で複数有する通気瓦桟によって固定する
ことを特徴とする請求項１に記載の瓦施工方法。
【請求項３】
野地板上に縦桟を渡し、その上に瓦を固定する
ことを特徴とする請求項１または請求項２に記載の瓦施工方法。
【請求項４】
通気軒部材を、長尺直方体状の通気鼻桟、および／または鼻桟と瓦との間に配置される通気面戸とした
ことを特徴とする請求項１ないし請求項３のいずれかに記載の瓦施工方法。
【請求項５】
通気棟部材を、フレキシブルなシート部材の両端縁に、貫通孔を有する長尺直方体状の通気部材を配置したものとした
ことを特徴とする請求項１ないし請求項４のいずれかに記載の瓦施工方法。
【請求項６】
瓦が、軒から棟にわたり野地板から離れた空間部分を有する状態で固定されており、
軒における瓦と野地板との間に、軒側の面から棟側の面への貫通孔を隣接状態で複数有する通気軒部材が渡されるとともに、
棟における冠瓦と瓦との間に、軒側の面から棟側の面への貫通孔を隣接状態で複数有する通気棟部材が渡されている
ことを特徴とする屋根構造。
【請求項７】
瓦が、軒側の面から棟側の面への貫通孔を隣接状態で複数有する通気瓦桟によって固定される
ことを特徴とする請求項６に記載の屋根構造。
【請求項８】
瓦が、野地板上に渡された縦桟の上に固定されている
ことを特徴とする請求項６または請求項７に記載の屋根構造。
【請求項９】
通気軒部材が、長尺直方体状の通気鼻桟、および／または鼻桟と瓦との間に配置される通気面戸である
ことを特徴とする請求項６ないし請求項８のいずれかに記載の屋根構造。
【請求項１０】
通気棟部材が、フレキシブルなシート部材の両端縁に、貫通孔を有する長尺直方体状の通気部材を配置したものとされている
ことを特徴とする請求項６ないし請求項９のいずれかに記載の屋根構造。
【発明の詳細な説明】
【技術分野】
【０００１】
本発明は、瓦と野地板の間における通気を確保して、屋根に断熱性や野地の耐久性を始めとする優れた性能を与えることのできる瓦施工方法、および本施工方法により構築することのできる屋根構造に関する。
【背景技術】
【０００２】
従来、瓦と野地板の間における通気を確保するための金属瓦として、下記特許文献１に示されるものが知られている。この金属瓦は、裏打材の表面に、軒から棟へ延びる複数の凹溝を有しており、野地板上に施工される。また、特許文献１の００１６段落には、空気を入りやすくし、また雨水の侵入を防ぐため、軒先納めにスリットを設けることが開示されている。
【０００３】
【特許文献１】特許第２６３２４５８号公報
【発明の開示】
【発明が解決しようとする課題】
【０００４】
上記従来の金属瓦においては、通気用に多数の凹溝を設けなければならず、コストがかさむし、形状も平板瓦に限られてしまう。また、この金属瓦を施工した屋根においては、軒先納めに単なるスリットを設けているが、スリットの寸法や数を様々に考えてみても、通風量と強度とのバランスがとれないし、雨水侵入を防止するためにスリットの位置に配慮しなければならないので施工が難しい。また、スリットを設けるだけでは、十分な空気の量を受入れることができず、通気量を十分に確保することができない。
【０００５】
そこで、請求項１、請求項６に記載の発明は、様々な形状ないし素材の瓦、あるいは一般の瓦を用いながら、瓦と野地板の間における通気を通気量の多い状態で確保でき、施工が簡単で屋根に優れた性能を与える瓦施工方法、ないしは屋根構造を提供することを目的としたものである。
【課題を解決するための手段】
【０００６】
上記目的を達成するために、請求項１に記載の発明は、野地板の軒側上面に、軒側の面から棟側の面への貫通孔を隣接状態で複数有する通気軒部材を渡し、軒の瓦を、下部下側に通気軒部材を有する状態で固定し、軒の瓦から棟の瓦までを、下部から上部にわたり野地板から離れた空間部分を有する状態で固定し、棟の瓦の上面に、軒側の面から棟側の面への貫通孔を隣接状態で複数有する通気棟部材を渡し、通気棟部材の上側に、冠瓦を載せることを特徴とするものである。また、上記目的を達成するために、請求項６に記載の発明は、各瓦が、下部から上部にわたり野地板から離れた空間部分を有する状態で固定されており、軒における瓦と野地板との間に、軒側の面から棟側の面への貫通孔を隣接状態で複数有する通気軒部材が渡されるとともに、棟における冠瓦と瓦との間に、軒側の面から棟側の面への貫通孔を隣接状態で複数有する通気棟部材が渡されていることを特徴とするものである。
【０００７】
また、請求項２、あるいは請求項７に記載の発明は、上記目的に加えて、軒と棟の間において通気量を更に確保する目的を達成するため、瓦が、軒側の面から棟側の面への貫通孔を隣接状態で複数有する通気瓦桟によって固定されることにある。
【０００８】
更に、請求項３、あるいは請求項８に記載の発明は、上記目的に加えて、平瓦においても通気を確保し、あるいは他の瓦において通気量を更に向上する目的を達成するため、瓦が、野地板上に渡された縦桟の上に固定されていることにある。
【０００９】
また更に、請求項４、あるいは請求項９に記載の発明は、上記目的に加えて、軒における施工を極めて容易にする目的を達成するため、通気軒部材が、長尺直方体状の通気鼻桟、および／または鼻桟と瓦との間に配置される通気面戸であることにある。
【００１０】
加えて、請求項５、あるいは請求項１０に記載の発明は、上記目的に加えて、棟における施工を極めて容易にする目的を達成するため、通気棟部材が、フレキシブルなシート部材の両端縁に、貫通孔を有する長尺直方体状の通気部材を配置したものとされていることにある。
【発明の効果】
【００１１】
本発明によれば、通気量が多く、優れた断熱性や野地の耐久性を長期間保持可能である瓦−野地板間通気を、低コストで容易に屋根に付与する瓦施工方法、あるいは屋根構造を提供することができる、という効果を奏する。
【発明を実施するための最良の形態】
【００１２】
以下、本発明の実施形態に係る瓦施工方法および屋根構造について、第１形態ないし第２形態およびこれらの変更例を挙げ、適宜図面に基づいて説明する。なお、本発明はこれら形態や変更例に限られるものではない。
【００１３】
（第１形態）
図１は第１形態に係る瓦施工方法において用いられる、通気軒部材としての通気鼻桟１０の説明図である。通気鼻桟１０は、軒上側に設置される一般の鼻桟と同等の大きさを有する長尺直方体（例えば高さ３０ｍｍ×奥行４０ｍｍ×長さ１２００ｍｍ）である。また、通気鼻桟１０には、長辺を含む面１２から対向する面１４への貫通孔１６が、互いに隣接する状態で複数設けられている。
【００１４】
なお、貫通孔１６の大きさは、５ｍｍ四方で全長４０ｍｍ程度であり、貫通孔１６は５層程度設けられる。また、通気鼻桟１０は、貫通孔１６を、面１２，１４の全体にわたり有している。更に、通気鼻桟１０は、プラスチック製である。通気鼻桟１０は、貫通孔１６の並んだプラスチックプレートを複数枚積層し、積層状態でヒートカッターにより切断し、切断面を熱融着固定して製造される。そしてここでは、プラスチックプレートを通気鼻桟１０の高さ方向へ積層し、貫通孔１６を、隣接する層と横方向の並びが異なり、各層毎に配置の異なるものとしている。
【００１５】
図２は第１形態の瓦施工方法において用いられる、通気軒部材としての通気面戸２０の説明図である。通気面戸２０は、上辺が波形状を呈するプレート群２２と、プレート群２２にほぼ垂直な固定板２４とからなる。プレート群２２の上辺は、施工しようとする瓦（平瓦以外）の下面軒側外形に沿って形成される。また、プレート群２２には、広い面２６から対向する面２７への貫通孔２８が、互いに隣接する状態で複数設けられている。
【００１６】
なお、貫通孔２８は、直径５ｍｍ程度の円形であり、プレート群２２における各プレートの周辺部以外にわたり、およそ５〜７ｍｍの間隔で配置されている。また、通気面戸２０は、プラスチック製である。
【００１７】
図３は第１形態の瓦施工方法において用いられる通気棟部材３０の説明図である。通気棟部材３０は、長辺方向に折目３１を有するシート部材としての長方形状の折板３２と、折板３２の両長辺下側に固定される通気部材３３と、各通気部材３３の下側に固定される防水パッキン３４とを備えている。
【００１８】
折板３２は、プラスチックプレートであり、伸ばしたときの大きさが短辺２６０ｍｍ、長辺１０００ｍｍ程度である。折目３１は、半切加工によって設けられる。また、折目３１は、複数設けられており、各通気部材３３の内側近傍と、中央部両側に配置されている。折板３２下面であって、中央部の折目３１間には、両面テープ３５が設けられる。また、折板３２上面であって、中央部の折目３１外側間には、補強テープ３６が設けられる。
【００１９】
通気部材３３は、通気鼻桟１０と同様に、複数の貫通孔３７を隣接状態で有する部材であるが、貫通孔３７を有する面３８，３９は、下辺をおよそ１０ｍｍ外側へ出す方向へ傾けられており、通気部材３３の大きさは、長手方向で１０００ｍｍ程度、高さで１５ｍｍ程度とされ、貫通孔３７の大きさは、高さ１ｍｍ程度、幅５ｍｍ程度とされ、貫通孔３７は８層程度とされる。
【００２０】
防水パッキン３４は、発泡性を呈する直方体状のプラスチックであり、その大きさは高さ２０ｍｍ程度、奥行き２０ｍｍ程度、幅１０００ｍｍ程度である。
【００２１】
次に、これらを用いた第１形態に係る瓦施工方法、ないしは屋根構造を、主に図４および図５に基づいて説明する。
【００２２】
屋根５０において、平瓦でない軒瓦５２、瓦５３および冠瓦５４を施工する前は、軒５５から棟５６に至る野地板５８が現れている。この状態において、まず、軒５５における野地板５８上に、通気鼻桟１０を、貫通孔１６が軒５５−棟５６方向（流れ方向）に向く状態で横に渡し、その上に通気面戸２０の固定板２４を当て、通気鼻桟１０と固定板２４を釘打ちする。このとき、通気面戸２０の貫通孔２８も流れ方向を向く。また、軒瓦５２や瓦５３を設置するための瓦桟６０を、野地板５８上において横に渡し、釘打ちするとともに、棟金具６２によって垂木６４を固定する。
【００２３】
次に、軒瓦５２を設置する。軒瓦５２の上部を瓦桟６０に掛け、下部を通気面戸２０のプレート群２２に載せる。このとき、通気面戸２０が軒瓦５２と通気鼻桟１０との間に位置し、貫通孔２８以外の部分で軒瓦５２と通気鼻桟１０との間が塞がれる。軒瓦５２の上部を瓦桟６０および野地板５８に釘打ちする。
【００２４】
続いて、瓦５３を棟５６方向へ重ねていく。瓦５３の上部を瓦桟６０に掛け、下部を下の軒瓦５２または瓦５３に載せる。なお、瓦５３は平瓦ではないため、野地板５８から離れた空間部分を有する状態で固定される。この野地板５８から離れた空間部分は、軒瓦５２や瓦５３が流れ方向に沿って重なるため、軒５５から棟５６へと通気空間となってつながっている。
【００２５】
そして、棟５６の瓦５３を固定し、少なくとも野地板５８から離れた部分において棟５６の瓦５３下側から上側の通気を確保したら、通気棟部材３０の両面テープ３５の剥離紙をめくり、折板３２中央部を垂木６４に接着する。このとき、防水パッキン３４が棟５６の瓦５３に接触する。また、通気棟部材３０の貫通孔３７がほぼ流れ方向に向く。なお、折板３２中央部の折目３１の間隔は、一般的な垂木６４の大きさに合わせている。
【００２６】
その後、通気棟部材３０に冠瓦５４を載せ、垂木６４に通気棟部材３０とともに固定する。このとき、冠瓦５４下部内側が、通気部材３３上の折板３２に載る。また、防水パッキン３４が圧縮され、防水性を高める。更に、通気部材３３が、冠瓦５４下部から内側にわたり、また瓦５３の勾配に沿うようになり、冠瓦５４内側からのぞくようになる。よって、通気鼻桟１０および通気面戸２０から、野地−瓦間の空間部分を経由し、棟５６の瓦５３の上端部と冠瓦５４との間を経て、通気部材３３へ至る通気路が形成される。
【００２７】
このようにして施工された屋根５０は、軒瓦５２や瓦５３が、軒５５からに棟５６わたり野地板５８から離れた空間部分を有する状態で固定されており、軒５５における軒瓦５２と野地板５８との間に、軒５５側の面１２から棟５６側の面１４への貫通孔１６を隣接状態で複数有する通気鼻桟１０を渡し、また軒５５側の面２６から棟５６側の面２７への貫通孔２８を隣接状態で複数有する通気面戸２０を渡すとともに、棟５６における冠瓦５４と瓦５３との間に、軒５５側の面３８から棟５６側の面３９への貫通孔３７を隣接状態で複数有する通気部材３３を渡した構造となっている。
【００２８】
従って、屋根５０においては、軒瓦５２、瓦５３、冠瓦５４の材質や形状を問わず、また一般的な軒瓦５２等であっても、瓦−野地板間通気を確保することができる。瓦−野地板間通気の代表的な効果として、夏期における日射の遮熱が挙げられ、具体例としては、断熱材を天井に貼った場合に、瓦−野地板間通気施工後の小屋裏における床面積当り冷房負荷が施工前の８４％に減少し、断熱材を野地板５８の下側および天井に貼った場合に、瓦−野地板間通気施工後の小屋裏の床面積当り冷房負荷が施工前の９０％に減少する。また、瓦−野地板間通気の効果として、野地の湿気を排出することもできる。即ち、屋根５０においては、有用な瓦−野地板間通気を、デザインの制限されない状態で、また低コストで簡単に確保することができる。
【００２９】
また、屋根５０においては、貫通孔１６，２８を隣接状態で複数有する通気鼻桟１０や通気面戸２０を、野地板５８の軒５５側上面に設置しているため、瓦−野地板間通気における通気量を多くすることができる。瓦−野地板間通気における通気量と床面積当り冷房負荷との関係の具体例として、次のようなものがある。
【００３０】
即ち、まず天井のみの断熱材施工時において、小屋裏のみ換気回数５回／ｈ（１時間当り）の冷房負荷を１００％としたときに、瓦−野地板間通気層を設けるだけ（通気回数０回／ｈ）で８３．８％、通気層通気回数を５回／ｈ（小屋裏容積基準）とすると８１．１％、通気回数を２０回／ｈとすると７６．２％となる。
【００３１】
次に、天井および屋根に断熱材を施工した場合において、小屋裏のみ換気回数５回／ｈの冷房負荷を１００％としたときに、通気層通気回数０回／ｈで８９．０％、通気層通気回数５回／ｈで８７．５％、通気層通気回数２０回／ｈで８４．６％となる。なおこの場合、小屋裏のみ換気回数５回／ｈの冷房負荷は、天井のみの断熱材施工時に比較して７３．５％となる。
【００３２】
従って、瓦−野地板間通気において、通気量を増やせば、更に断熱性等の性能を向上することができ、屋根５０にあっては通気量を多くすることが可能であるために、極めて高い性能を具備させることができる。
【００３３】
更に、屋根５０は、通気鼻桟１０や通気面戸２０によって、通気のための貫通孔１６，２８が導入された構造を有している。よって、屋根５０において、瓦−野地板間通気を実現しながら、一般的な屋根と施工容易性が変らない。
【００３４】
また、屋根５０において、通気鼻桟１０の最下層の貫通孔１６が、野地板５８のすぐ上に（野地板５８上面に連続するように）位置する構造を備えている。従って、屋根５０においては、野地板５８上に浸入した雨水もすぐに軒５５から排出することができる。
【００３５】
更に、屋根５０において、通気棟部材３０が、フレキシブルな折板３２の両端縁に通気部材３３を配置したものとされているため、一般的な両流れ屋根における棟の両側に一度に設置することができ、様々な形状の冠瓦５４に対応することができる。
【００３６】
加えて、通気鼻桟１０、通気面戸２０あるいは通気棟部材３０の貫通孔１６，２８，３７が、ほぼ５〜２５平方ミリメートルの面積とされているため、昆虫や小鳥の侵入を防止し、耐久性に配慮しながら、断熱や除湿等に有効な瓦−野地板間通気を通気量の十分な状態で行うことができる。
【００３７】
なお、第１形態の変更例として、次のようなものがある。軒の貫通孔の面積を、１〜１００平方ミリメートルという好ましい範囲、またはこれ以外の範囲で変更する。また、軒の貫通孔の隣接間隔を、至近端部間距離で１〜１０ミリメートルという好ましい範囲、またはこれ以外の範囲で変更する。同様に、棟の貫通孔の面積を、１〜１００平方ミリメートルという好ましい範囲、またはこれ以外の範囲で変更する。また、棟の貫通孔の隣接間隔を、至近端部間距離で１〜１０ミリメートルという好ましい範囲、またはこれ以外の範囲で変更する。このような好ましい範囲をとると、雨水や異物の侵入を防止し、構造的にも丈夫なものとすることにより耐久性を向上しながら、通気量をも十分なものとすることができる。
【００３８】
また、通気鼻桟のみを用いて面戸に貫通孔を設置しないようにしたり、貫通孔を有する通気面戸のみを用いて通常の鼻桟を用いたりする。更に、通気鼻桟や通気面戸における面の一部に貫通孔を配置するようにする。このとき、水抜けに配慮して、面の下部のみに（面の下部を含むように）貫通孔を設置することができる。また更に、通気面戸における複数のプレートまたはプレート群全体を、単一のプレートとする。また、特に平瓦に近い瓦の場合に、面戸を省略し、通気鼻桟のみを施工する。更に、通気鼻桟や通気面戸を、通常の鼻桟等とともに（例えば一定数の通常部材毎に通気部材を配置する等して）施工することができ、この場合、通気量や施工コストを調整することができる。
【００３９】
加えて、通気棟部材の折板を、柔軟なシートとする。このとき、防水通気シートを採用することができ、この場合、施工が容易ながら、雨水の野地板ないしは屋根裏への浸入を防止し、通気にも配慮することができる。また、通気棟部材における面の一部に貫通孔を配置するようにする。更に、通気棟部材の両面テープや補強テープを省略する。
【００４０】
加えて、通気鼻桟等において、プラスチックシートを長手方向に積層する。また、各種部材ないし瓦の形状、材質、数量を、例えば通気面戸として金属製のものを採用したり、瓦として中空瓦を採用したり、下面に流れ方向の溝を形成した瓦を採用したりする等、適宜変更する。
【００４１】
一方、冠瓦下方を野地板で塞がないようにする等して、屋根裏と棟との通気をも併せて確保するようにもできる。この場合、特に屋根裏の断熱効果に優れる。
【００４２】
また、通気棟部材や通気鼻桟と同様の通気部材を隅棟に配置し、通気量を更に増やすこともできる。この場合、好ましくは隅棟の上部または下部のみに配置する。更に、瓦における、軒から棟にわたり野地板から離れた空間部分を、流れ方向に沿わないものとする。
【００４３】
また、図６（ａ）に示すように、通気鼻桟７０として、通常の鼻桟に貫通孔７２を掘ったものを採用したり、図６（ｂ）に示すように、通気鼻桟８０として、通常の鼻桟の下面を好ましくは高さ３〜８ｍｍで削って貫通孔８２としたものを採用したり、これら双方の貫通孔を設けた通気鼻桟を採用したりする。更に、通気鼻桟と同様になる各種の通気瓦桟をもって瓦を施工する。この場合、瓦の形状に依らず、屋根中央部の通気を十分に確保することができる。
【００４４】
（第２形態）
図７は第２形態に係る瓦施工方法によって形成される屋根９０の説明図である。屋根９０においては平瓦９１を施工するが、そのまま野地板９２上に施工すると平瓦９１の下面全体が野地板９２に接し、瓦−野地板通気が確保されないため、縦桟９３を平瓦９１と野地板９２の間に配する。
【００４５】
第２形態に係る瓦施工方法において、まず縦桟９３を、野地板９２上の軒９４および棟部以外にわたり設置する。縦桟９３は、ここでは細長いシート状の部材であり、厚さが５ｍｍ程度となっている。次に、軒９４において、第１形態と同様に貫通孔９５を有する通気鼻桟９６、ならびに吊子９７および平瓦９１を、通気鼻桟９５に載った吊子９７が平瓦９１の下辺を支える状態で固定する。
【００４６】
続いて、平瓦９１の上辺に吊子９７を配し、ともに釘打ちし、別の平瓦９１の下辺を載せ、これを繰返す。そして、棟を第１形態と同様に施工する。
【００４７】
このような屋根９０は、軒９４における平瓦９１と野地板９２との間に、軒９４側の面から棟側の面への貫通孔９５を隣接状態で複数有する通気鼻桟９６を渡すとともに、棟における冠瓦と平瓦９１との間に、軒９４側の面から棟側の面への貫通孔を隣接状態で複数有する通気部材３３を渡し、更に平瓦９１と野地板９２との間に、縦桟９３を渡した構造となっている。従って、屋根９０では、平瓦９１においても、有用な瓦−野地板間通気を、デザインの制限されない状態で、低コストで簡単に、また耐久性十分に確保することができる。なお、屋根９０では、横桟を用いず、吊子９７によって施工されているので、流れ方向の通気を阻害する要因が少なく、効率的な通気を確保することができる。
【００４８】
なお、第２形態の変更例として、第１形態と同様のものの他、次に示すようなものがある。縦桟の高さを、１〜１０ｍｍという好ましい範囲、またはこれ以外の範囲で変更する。また、縦桟や吊子の瓦当りの数を、１個あるいは３個以上にする。更に、縦桟や吊子の数を異なるものとしたり、横方向の位置を相違させたりする。また更に、平瓦以外の瓦の施工に用いる。また、縦桟の上に瓦桟をのせ、瓦を固定することもできる。
【図面の簡単な説明】
【００４９】
【図１】本発明の第１形態に係る瓦施工方法で用いる通気鼻桟の説明図である。
【図２】本発明の第１形態に係る瓦施工方法で用いる通気面戸の説明図である。
【図３】本発明の第１形態に係る瓦施工方法で用いる通気棟部材の説明図である。
【図４】本発明の第１形態に係る屋根構造の斜視説明図である。
【図５】図４におけるＡ−Ａ断面図である。
【図６】（ａ）〜（ｂ）は本発明の変更例に係る瓦施工方法で用いる通気鼻桟の説明図である。
【図７】本発明の第２形態に係る屋根構造の（ａ）斜視説明図（ｂ）Ｂ−Ｂ断面図である。
【符号の説明】
【００５０】
１０，７０，８０  通気鼻桟（通気軒部材）
１６，２８，３７，９５  貫通孔
２０        通気面戸（通気軒部材）
３０        通気棟部材
３２        折板（シート部材）
３３        通気部材
５０，９０  屋根
５２        軒瓦
５３        瓦
５４        冠瓦
５５，９４  軒
５６        棟
５８，９２  野地板
９１        平瓦
９３        縦桟
【図１】
2005188254.tif 000003
【図２】
2005188254.tif 000004
【図３】
2005188254.tif 000005
【図４】
2005188254.tif 000006
【図５】
2005188254.tif 000007
【図６】
2005188254.tif 000008
【図７】
2005188254.tif 000009